(57)【特許請求の範囲】
【請求項１】
右肩に沿うような状態で掛けられる右肩肩掛け部と、
前記右肩肩掛け部の一端部から下方に延びて、少なくともその一部が、伸縮自在であり、且つ、曲げられることが可能で曲げられた状態を維持可能な右用ホルダー支持体と、
前記右用ホルダー支持体の下端部に配置されて、骨盤に当接する右側下方保持部と、
を備える右用ホルダーと、
左肩に沿うような状態で掛けられる左肩肩掛け部と、
前記左肩肩掛け部の一端部から下方に延びて、少なくともその一部が、伸縮自在であり、且つ、曲げられることが可能で曲げられた状態を維持可能な左用ホルダー支持体と、
前記左用ホルダー支持体の下端部に配置されて、骨盤に当接する左側下方保持部と、
を備える左用ホルダーと、
柔軟な材料により構成され、一端側の部分が前記右肩肩掛け部と前記左肩肩掛け部とにそれぞれ吊り下げられると共に、他端側の部分が楽器に係合される楽器係合部と、
を備える楽器ホルダー。
【請求項２】
前記楽器係合部は、前記右肩肩掛け部と前記左肩肩掛け部とにそれぞれ吊り下げられた部分から、右肩及び左肩に沿って前記右肩肩掛け部の一端部及び前記左肩肩掛け部の一端部へ近づく方向へ配置されるホルダー側使用位置と、前記右肩肩掛け部と前記左肩肩掛け部とにそれぞれ吊り下げられた部分から、右肩及び左肩に沿って前記右肩肩掛け部の一端部及び前記左肩肩掛け部の一端部から遠ざかる方向へ配置される反ホルダー側使用位置と、のいずれかに配置されて使用可能であることを特徴とする請求項１に記載の楽器ホルダー。
【請求項３】
前記右肩肩掛け部の他端部と前記左肩肩掛け部の他端部とのうちの少なくとも一方は、前記右肩肩掛け部が右肩にかけられたとき、前記左肩肩掛け部が左肩にかけられたときに、右肩、左肩のうちの少なくとも一方に対して位置ずれしにくい状態で右肩、左肩のうちの少なくとも一方に当接可能な弾性部材を有することを特徴とする請求項１または請求項２に記載の楽器ホルダー。
【請求項４】
前記右側下方保持部と、前記左側下方保持部とのうちの少なくとも一方は、前記骨盤に対して位置ずれしにくい状態で骨盤に当接可能な弾性部材を有するパッド部を備える
ことを特徴とする請求項１乃至請求項３のいずれか一項に記載の楽器ホルダー。
【発明の詳細な説明】
【技術分野】
【０００１】
本発明は、身体に装着され、サクスフォン（ｓａｘｏｐｈｏｎｅ）等の管楽器等を保持することが可能な楽器ホルダーに関する。
【背景技術】
【０００２】
サクスフォン等の管楽器の演奏者の演奏の邪魔にならず、しかも長時間にわたる演奏を可能とし且つやる気の失せない演奏を可能とする支持具が知られている（例えば、特許文献１参照）。支持具は、Ｙ字形フレームを形成する３本のアームを有しており、３本のアームのうちの上方に突き出た２本のアームの自由端部は、弓形部として形成されている。これら２本のアームは、演奏者の肩に掛けられる。下方に突き出た残りの１本のアームの自由端部は、演奏者の腹部領域に位置して当該腹部領域に当接し、支持部は、演奏者の腹部によって支持される。
【０００３】
３本のアームの基端部は、連結部材によって連結されている。肩に掛けられる２本のアームは、連結部材に対して回動可能に構成されている。管楽器は、３本のアームの連結部材に接続されたコード又はバンド（ストラップ）によって吊り下げられる。
【０００４】
また、特許文献１に記載された発明と同様に、左右の肩に掛ける部材を有する楽器の支持具が知られている（例えば、特許文献２参照）。
【先行技術文献】
【特許文献】
【０００５】
【特許文献１】特表２０１４−５０３８４８号公報
【特許文献２】実用新案登録第３１８４１５５号公報
【発明の概要】
【発明が解決しようとする課題】
【０００６】
上記特許文献１に記載の管楽器用支持具では、腹部への押圧力が比較的大きい。このため、楽器演奏中に腹式呼吸をする際に、不快感を覚える恐れがある。また、支持具が肩からずれたり外れたりし易く、楽器演奏の際に障害となる恐れがある。上記特許文献２に記載の支持具では、肩のみに楽器の荷重が作用し、肩への負担が大きい。
【０００７】
本発明は、身体にかかる負担を軽減して局所的な疲労蓄積やこりを低減し、腹部への押圧力が比較的大きくなることを回避するとともに、肩からずれたり外れたりしにくい楽器ホルダーを提供することを目的とする。
【課題を解決するための手段】
【０００８】
本発明は、右肩に沿うような状態で掛けられる右肩肩掛け部と、前記右肩肩掛け部の一端部から下方に延びて、少なくともその一部が、伸縮自在であり、且つ、曲げられることが可能で曲げられた状態を維持可能な右用ホルダー支持体と、前記右用ホルダー支持体の下端部に配置されて、骨盤に当接する右側下方保持部と、を備える右用ホルダーと、左肩に沿うような状態で掛けられる左肩肩掛け部と、前記左肩肩掛け部の一端部から下方に延びて、少なくともその一部が、伸縮自在であり、且つ、曲げられることが可能で曲げられた状態を維持可能な左用ホルダー支持体と、前記左用ホルダー支持体の下端部に配置されて、骨盤に当接する左側下方保持部と、を備える左用ホルダーと、柔軟な材料により構成され、一端側の部分が前記右肩肩掛け部と前記左肩肩掛け部とにそれぞれ吊り下げられると共に、他端側の部分が楽器に係合される楽器係合部と、を備える楽器ホルダーに関する。
【０００９】
また、前記楽器係合部は、前記右肩肩掛け部と前記左肩肩掛け部とにそれぞれ吊り下げられた部分から、右肩及び左肩に沿って前記右肩肩掛け部の一端部及び前記左肩肩掛け部の一端部へ近づく方向へ配置されるホルダー側使用位置と、前記右肩肩掛け部と前記左肩肩掛け部とにそれぞれ吊り下げられた部分から、右肩及び左肩に沿って前記右肩肩掛け部の一端部及び前記左肩肩掛け部の一端部から遠ざかる方向へ配置される反ホルダー側使用位置と、のいずれかに配置されて使用可能であることが好ましい。
【００１０】
また、前記右肩肩掛け部の他端部と前記左肩肩掛け部の他端部とのうちの少なくとも一方は、前記右肩肩掛け部が右肩にかけられたとき、前記左肩肩掛け部が左肩にかけられたときに、右肩、左肩のうちの少なくとも一方に対して位置ずれしにくい状態で右肩、左肩のうちの少なくとも一方に当接可能な弾性部材を有することが好ましい。
【００１１】
また、前記右側下方保持部と、前記左側下方保持部とのうちの少なくとも一方は、前記骨盤に対して位置ずれしにくい状態で骨盤に当接可能な弾性部材を有するパッド部を備えることが好ましい。
【発明の効果】
【００１２】
本発明によれば、身体にかかる負担を軽減して局所的な疲労蓄積やこりを低減し、腹部への押圧力が比較的大きくなることを回避するとともに、肩からずれたり外れたりしにくい楽器ホルダーを提供することができる。
【図面の簡単な説明】
【００１３】
【図１】本発明の実施形態による楽器ホルダー１０００を示す概略図である。
【図２】本発明の実施形態による楽器ホルダー１０００の右肩肩掛け部１１０の使用状態を説明する図であり、（ａ）は、身体前方に右用ホルダー１００を配置させて楽器を身体前方で保持する際の吊り下げベルト１１５の状態を説明する概略図であり、（ｂ）は、身体後方に右用ホルダー１００を配置させて楽器を身体前方で保持する際の吊り下げベルト１１５の状態を説明する概略図である。
【図３】本発明の実施形態による楽器ホルダー１０００の右用ホルダー支持体１２０及び左用ホルダー支持体２２０が折り畳まれた状態を示す概略図である。
【図４】本発明の実施形態による楽器ホルダー１０００が用いられて演奏が行われている状態を示す模式図である。
【図５】本発明の実施形態による楽器ホルダー１０００が身体前方に配置されて使用されている状態を示す図であり、（ａ）は、右側下方保持部１３０及び左側下方保持部２３０が骨盤の側部に当接している状態を示す正面図であり、（ｂ）は、左側下方保持部２３０が骨盤の側部に当接している状態を示す側面図であり、（ｃ）は、左側下方保持部２３０が骨盤の後部に当接している状態を示す側面図であり、（ｄ）は、右側下方保持部１３０及び左側下方保持部２３０が、骨盤の後部に当接している状態を示す背面図である。
【図６】本発明の実施形態による楽器ホルダー１０００が身体後方に配置されて使用されている状態を示す図であり、（ａ）は、背面図であり、（ｂ）は正面図である。
【発明を実施するための形態】
【００１４】
以下、本発明の実施形態による楽器ホルダーについて、図面を参照しながら説明する。
図１は、本発明の実施形態による楽器ホルダー１０００を示す概略図である。以下の説明において、「骨盤」や「肩甲骨」等の部位に部材が「当接」等する旨のいずれの記載も、骨盤や肩甲骨等の「骨」に部材が直接「当接」等することを意味しない。これらの骨を覆う皮膚の部分や、当該皮膚を覆う衣類に「当接」等することを意味する。
また、図１における上方向を上方向とし、図１における下方向を下方向とし、上下方向定義する。
【００１５】
図１に示すように、実施形態にかかる楽器ホルダー１０００の右用ホルダー１００は、右肩に掛けられる右肩肩掛け部１１０と、右肩肩掛け部１１０の一端部としての下端を構成する連結部材１１３から下方へ延びる右用ホルダー支持体１２０とを備える。また、楽器ホルダー１０００は、骨盤に当接する右側下方保持部１３０を備える。右側下方保持部１３０は、右用ホルダー支持体１２０の下端部に配置される。
【００１６】
右肩肩掛け部１１０は、第１フレーム１１１と第２フレーム１１２との弧状のフレキシブルフレームを備える。弧状のフレキシブルフレームは、これら２つに限定されない。また、第１フレーム１１１と第２フレーム１１２とは、共に、装着者の肩の形状にフィットし、右肩に沿うような状態で掛けられるように変形可能であることが好ましく、フレキシブルな材料、例えば、スチールパイプ、スポンジ、ポリエチレン・ＡＢＳ（樹脂メッキ）、ジャバラや弾性部材等で被覆されたワイヤー、針金や可撓性合成樹脂等により構成されてもよい。
【００１７】
右肩肩掛け部１１０の他端部を構成する第１フレーム１１１の一端１１６には、低反発ウレタンや高反発ウレタン、スポンジやゴムを含めた合成樹脂等であって、衣服等を介した身体接触でも身体に優しい素材で形成された弾性部材が設けられている。また、右肩肩掛け部１１０の他端部を構成する第２フレーム１１２の一端１１７にも、第１フレーム１１１の一端１１６と同様に弾性部材が設けられている。一端１１６と一端１１７とは、装着時に装着者の右肩の肩甲骨に当接するように構成されてよい。また、弾性部材は、右肩肩掛け部１１０が右肩に掛けられて着衣や身体皮膚等に当接する場合に、適度な摩擦力により滑り難く右肩に対して位置ずれしにくい状態となるものであることが好ましい。
【００１８】
フレーム１１１の一端１１６の弾性部材は、第１フレーム１１１の直径よりも直径が大きな球状を有することにより、先端が身体や着衣に密着して滑りにくい構成が好ましい。フレーム１１１の一端１１６の弾性部材は、一定のマッサージ効果があるものが好ましく、肩甲骨に対して押圧力を加えるものであることがさらに好ましい。フレーム１１１の一端１１６の弾性部材は、いわゆる「ツボ押し」効果の機能を有してもよく、電気振動機能（電気振動によるマッサージ効果）を発揮してもよい。即ち、球状の表面に複数の小さな突起が形成されていてもよい。また、フレーム１１１の一端１１６の弾性部材は、滑りに難くするために、弾性部材の表面には、凹凸や任意形状の突起、ディンプルやテーパ等が設けられることが好ましい。
【００１９】
また、右用ホルダー支持体１２０は、上部骨格部１２１と、下部フレキシブル部１２２とを有する。上部骨格部１２１は容易に変形しない樹脂等の材料により構成された棒状の部材により構成されている。下部フレキシブル部１２２は、伸縮自在且つ曲げられることが可能で曲げられた状態を維持可能なフレキシブルな構成とされる。伸縮機能は、ジャバラ方式により実現しても良いし、入れ子方式で実現してもよいし、その他任意の公知の構成を採用し得る。
【００２０】
右側下方保持部１３０は、右用ホルダー支持体１２０の下端部において、骨盤の一部に当接するパッド部１３１を有する。パッド部１３１は、低反発ウレタンや高反発ウレタン、スポンジやゴムを含めた合成樹脂等の、衣服等を介した身体接触でも身体に優しい素材で形成された弾性部材を用いることができる。また、弾性部材は、着衣や身体皮膚等に当接する場合に、適度な摩擦力により滑りにくく骨盤に対して位置ずれしにくい状態となるものであることが好ましい。滑りにくくするために、弾性部材の表面には、凹凸や任意形状の突起、ディンプルやテーパ等を設けることが好ましい。
【００２１】
また、パッド部１３１は、その向きや並び方向や身体位置に対する高さ及び互いの間隔を任意に調節可能に、適宜不図示のヒンジ部や係合部を介して右用ホルダー支持体１２０に設けられてもよい。
【００２２】
同様に、図１に示すように、実施形態にかかる楽器ホルダー１０００の左用ホルダー２００は、左肩に掛けられる左肩肩掛け部２１０と、左肩肩掛け部２１０の一端部としての下端を構成する連結部材２１３から下方へ延びる左用ホルダー支持体２２０とを備える。また、楽器ホルダー１０００は、骨盤に当接する左側下方保持部２３０を備える。左側下方保持部２３０は、左用ホルダー支持体２２０の下端部に配置される。
【００２３】
左肩肩掛け部２１０は、第１フレーム２１１と第２フレーム２１２との弧状のフレキシブルフレームを備える。弧状のフレキシブルフレームは、これら２つに限定されない。また、第１フレーム２１１と第２フレーム２１２とは、共に、装着者の肩の形状にフィットし、左肩に沿うような状態で掛けられるように変形可能であることが好ましく、フレキシブルな材料、例えば、スチールパイプ、スポンジ、ポリエチレン・ＡＢＳ（樹脂メッキ）、ジャバラや弾性部材等で被覆されたワイヤー、針金や可撓性合成樹脂等により構成されてもよい。
【００２４】
左肩肩掛け部２１０の他端部を構成する第１フレーム２１１の一端２１６には、低反発ウレタンや高反発ウレタン、スポンジやゴムを含めた合成樹脂等の衣服等を介した身体接触でも身体に優しい素材で形成された弾性部材が設けられている。また、左肩肩掛け部２１０の他端部を構成する第２フレーム２１２の一端２１７にも、第１フレーム２１１の一端２１６と同様に弾性部材が設けられている。一端２１６と一端２１７とは、装着時に装着者の左肩の肩甲骨に当接するように構成されてよい。また、弾性部材は、左肩肩掛け部２１０が左肩に掛けられて着衣や身体皮膚等に当接する場合に、適度な摩擦力により滑り難く左肩に対して位置ずれしにくい状態となるものであることが好ましい。
【００２５】
フレーム２１１の一端２１６の弾性部材は、第１フレーム２１１の直径よりも直径が大きな球状を有することにより、先端が身体や着衣に密着して滑りにくい構成が好ましい。フレーム２１１の一端２１６の弾性部材は、一定のマッサージ効果があるものなら好ましく、肩甲骨に対して押圧力を加えるものであることがさらに好ましい。フレーム２１１の一端２１６の弾性部材は、いわゆる「ツボ押し」効果の機能を有してもよく、電気振動機能（電気振動によるマッサージ効果）を発揮してもよい。即ち、球状の表面に複数の小さな突起が形成されていてもよい。また、フレーム２１１の一端２１６の弾性部材は、滑りに難くするために、弾性部材の表面には、凹凸や任意形状の突起、ディンプルやテーパ等が設けられることが好ましい。
【００２６】
また、左用ホルダー支持体２２０は、上部骨格部２２１と、下部フレキシブル部２２２とを有する。上部骨格部２２１は容易に変形しない樹脂等の材料により構成された棒状の部材により構成されている。下部フレキシブル部２２２は、伸縮自在且つ曲げられることが可能で曲げられた状態を維持可能なフレキシブルな構成とされる。伸縮機能は、ジャバラ方式により実現しても良いし、入れ子方式で実現してもよいし、その他任意の公知の構成を採用し得る。
【００２７】
左側下方保持部２３０は、左用ホルダー支持体２２０の下端部において、骨盤の一部に当接するパッド部２３１を有する。パッド部２３１は、低反発ウレタンや高反発ウレタン、スポンジやゴムを含めた合成樹脂等の衣服等を介した身体接触でも身体に優しい素材で形成された弾性部材を用いることができる。また、弾性部材は、着衣や身体皮膚等に当接する場合に、適度な摩擦力により滑りにくく骨盤に対して位置ずれしにくい状態となるものであることが好ましい。滑りにくくするために、弾性部材の表面には、凹凸や任意形状の突起、ディンプルやテーパ等を設けることが好ましい。
【００２８】
また、パッド部２３１は、その向きや並び方向や身体位置に対する高さ及び互いの間隔を任意に調節可能に、適宜不図示のヒンジ部や係合部を介して左用ホルダー支持体２２０に設けられてもよい。
【００２９】
図１において、第１フレーム１１１と第２フレーム１１２との間、及び第１フレーム２１１と第２フレーム２１２との間には、シート１１４，２１４が張られている。シート１１４，２１４には吊り下げベルト１１５，２１５の一端が係止される。これにより、楽器係合部の一端側の部分を構成する吊り下げベルト１１５，２１５は、右肩肩掛け部１１０、左肩肩掛け部２１０にそれぞれ吊り下げられる。また、吊り下げベルト１１５，２１５の他端には、バックル３１０、楽器係止具３１１、楽器係止側ベルト３１２が設けられる。吊り下げベルト１１５、２１５、楽器係止側ベルト３１２は、革または鎖・布製のベルトでもよく、紐や任意太さ・任意形状のワイヤーであってもよい。また、吊り下げベルト１１５，２１５の一端は、シート１１４，２１４に直接係止されていなくてもよい。例えば、吊り下げベルト１１５，２１５の一端は、環状の部材を介して、シート１１４，２１４に係止されてもよい。即ち、環状の部材の一端側に、吊り下げベルト１１５，２１５の一端が係止され、環状の部材の他端側に、シート１１４，２１４の一部が係止されてもよい。
【００３０】
また、吊り下げベルト１１５，２１５、楽器係止側ベルト３１２は、楽器を吊下するために必要とされる程度の強度を有する。また、吊り下げベルト１１５，２１５、バックル３１０、楽器係止具３１１、及び、楽器係止側ベルト３１２は、楽器係合部を構成する。また、楽器係合部は、全体として楽器吊り下げの機能を発揮できるものであればよく、このための最少限の要素のみで構成でき、任意の形状や素材、材質等であってよいし、各要素間の係合方法についても、上記構成に限定されない。
【００３１】
図２は、本発明の実施形態による楽器ホルダー１０００の右肩肩掛け部１１０の使用状態を説明する図であり、（ａ）は、身体前方に右用ホルダー１００を配置させて楽器を身体前方で保持する際の吊り下げベルト１１５の状態を説明する概略図であり、（ｂ）は、身体後方に右用ホルダー１００を配置させて楽器を身体前方で保持する際の吊り下げベルト１１５の状態を説明する概略図である。
図２では、説明の便宜上及び重複説明を避けるために、楽器ホルダー１０００の右肩肩掛け部１１０のみについて説明しているが、左肩肩掛け部２１０も右肩肩掛け部１１０と同様の構成を有する。
【００３２】
図２（ａ）に示すように、シート１１４は、皮または布等で構成されており、第１フレーム１１１と第２フレーム１１２との間に、配置されている。右肩肩掛け部１１０の下端を構成する連結部材１１３を支点として、第１フレーム１１１と第２フレーム１１２とは、それぞれ回動可能である。この回動により、第１フレーム１１１、第２フレーム１１２は、Ｖ字開状態及びＩ字閉状態とされる。図２（ａ）はＶ字開状態を示している。図２（ａ）に示すように、Ｖ字開状態では、シート１１４がいっぱいまで張られるので、シート１１４は、それ以上開かれることが制限されるとともに、シート１１４の撓みが制限される。これにより、吊り下げベルト１１５とシート１１４との係止位置が安定する。また、第１フレーム１１１と第２フレーム１１２とを回動させて互いに寄り添わせて、Ｉ字閉状態とした場合には、シート１１４が撓んで折り畳まれてもよい。また、Ｖ字開状態からＩ字閉状態への状態の変化は、第１フレーム１１１がそのままで第２フレーム１１２が第１フレーム１１１に接近することにより行われてもよいし、第２フレーム１１２がそのままで第１フレーム１１１が第２フレーム１１２に接近することにより行われてもよい。また、Ｖ字開状態からＩ字閉状態への状態の変化は、第１フレーム１１１と第２フレーム１１２とが共に両者の中央に向けて寄り添って、該中央付近で形成されるようにして行われてもよく、右肩肩掛け部１１０の下端を構成する連結部材１１３の係合構成として適宜公知の構成を採用して行われてもよい。
【００３３】
吊り下げベルト１１５は、図２（ａ）に示すように、右肩肩掛け部１１０の下端方向（連結部材１１３の方向）に延伸されて身体前方（図２（ａ）の左方）で楽器を保持することも可能である。また、図２（ｂ）に示すように、右肩肩掛け部１１０の下端を構成する連結部材１１３が身体後方（図２（ａ）の左方）へ位置するように、右肩肩掛け部１１０を肩に掛けた場合には、吊り下げベルト１１５は、第１フレーム１１１の一端１１６の方向、第２フレーム１１２の一端１１７の方向に延びて、身体の前方（図２（ａ）の右方）で楽器を保持することも可能である。
【００３４】
より具体的には、楽器係合部を構成する吊り下げベルト１１５，２１５とバックル３１０、楽器係止具３１１及び楽器係止側ベルト３１２は、右肩肩掛け部１１０と左肩肩掛け部２１０とにそれぞれ吊された部分から、右肩及び左肩に沿って右肩肩掛け部１１０の一端部を構成する連結部材１１３及び左肩肩掛け部２１０の一端部下端を構成する連結部材２１３へ近づく方向へ配置されるホルダー側使用位置（図５（ａ）〜図５（ｄ）に示す位置）に配置されて使用される。
また、楽器係合部を構成する吊り下げベルト１１５，２１５とバックル３１０、楽器係止具３１１及び楽器係止側ベルト３１２は、右肩肩掛け部１１０と左肩肩掛け部２１０とにそれぞれ吊された部分から、右肩及び左肩に沿って右肩肩掛け部１１０の一端部を構成する連結部材１１３及び左肩肩掛け部２１０の一端部下端を構成する連結部材２１３から遠ざかる方向へ配置される反ホルダー側使用位置（図６（ａ）〜図６（ｂ）に示す位置、即ち、演奏者の身体を挟んで背中側に右用ホルダー支持体１２０及び左用ホルダー支持体２２０が配置され、身体の前側に、楽器係合部を構成する吊り下げベルト１１５，２１５とバックル３１０、楽器係止具３１１及び楽器係止側ベルト３１２が配置される位置）と、のいずれかに配置されて使用される。
【００３５】
また、図２においては、説明の便宜上右用ホルダー１００のみを示してこれに基づいて詳細な説明をしたが、左用ホルダー２００においても右用ホルダー１００と同様であるので、左用ホルダー２００の説明は省略する。
【００３６】
図３は、本発明の実施形態による楽器ホルダー１０００の右用ホルダー支持体１２０及び左用ホルダー支持体２２０が折り畳まれた状態を示す概略図である。
【００３７】
図３から明らかなように、楽器ホルダー１０００は、右用ホルダー支持体１２０と左用ホルダー支持体２２０とがそれぞれ略中央にて折り畳み可能に構成されている。即ち、右用ホルダー支持体１２０は、上部骨格部１２１と、下部フレキシブル部１２２との接続部において、折り畳み可能である。また、左用ホルダー支持体２２０は、上部骨格部２２１と、下部フレキシブル部２２２との接続部において、折り畳み可能である。また、右用ホルダー支持体１２０は、図３に示す右用ホルダー１００の状態のように、連結部材１１３に対して着脱可能である。左用ホルダー支持体２２０も、右用ホルダー１００と同様に、連結部材２１３に対して着脱可能である。この構成により、楽器ホルダー１０００を、持ち運びに便利な構成とするとともに旅行鞄等へコンパクトに収納することができる。
【００３８】
例えば、右用ホルダー支持体１２０と左用ホルダー支持体２２０とを、それぞれ被覆されたフレキシブル金属棒等で形成することで折り畳み可能な構成としてもよい。また、それぞれ二本の棒状体の中央接合部を、折り曲げや折り畳み及び延伸自在に調整可能な接合部構成としてもよく、公知の仕組みを適宜採用してよい。例えば、公知の仕組みとしては、例えば、折り畳み傘の骨組みの折り畳み方法や構成、傘軸の延伸方法や構成を採用してもよい。
【００３９】
また、フレキシブルカメラ三脚の脚部等に採用されている公知のジャバラ状の変形自在構成等を、下部フレキシブル部１２２と下部フレキシブル部２２２とに採用してもよい。ジャバラ状の被覆材等の外面を比較的弾力性のある素材、例えば合成樹脂等で構成することにより、楽器と触れた際に異音が発生したり、楽器を傷付けたりすることを防止できる。
【００４０】
また、図４は、本発明の実施形態による楽器ホルダー１０００が用いられて演奏が行われている状態を示す模式図である。
図４から明らかなように、数キログラム程度の比較的重量のあるサクスフォン５００等であっても、楽器ホルダー１０００は、右肩部、左肩部、及び、骨盤における２つの部分で、サクスフォン５００等を保持する。従って、楽器ホルダー１０００を用いることにより、身体への負担は相当に軽減されるものとなり、長時間の演奏でも疲労を軽減して正しい姿勢を保つことに資する。また、これにより演奏者の首等でサクスフォン５００を保つ必要がないので、演奏者の体力的な負担が軽減されて演奏に集中することができる。
【００４１】
また、楽器ホルダー１０００においては、右用ホルダー支持体１２０と左用ホルダー支持体２２０とが一体的に構成されておらず、右用ホルダー支持体１２０は、左用ホルダー支持体２２０に対して別個独立した部材で構成されている。吊り下げベルト１１５，２１５は、柔軟な材料により構成されている。このため、右用ホルダー支持体１２０に作用する力は、左用ホルダー支持体２２０に影響を与えにくく、また、左用ホルダー支持体２２０に作用する力は、右用ホルダー支持体１２０に影響を与えにくい。このため、身体を大きく動かしながら演奏を行った場合であっても、右用ホルダー支持体１２０が右肩部から外れにくく、同様に、左用ホルダー支持体２２０が左肩部から外れにくい。このため、安定して、楽器ホルダー１０００により楽器を保持することができる。
【００４２】
また、図５は、本発明の実施形態による楽器ホルダー１０００が身体前方に配置されて使用されている状態を示す図であり、（ａ）は、右側下方保持部１３０及び左側下方保持部２３０が骨盤の側部に当接している状態を示す正面図であり、（ｂ）は、左側下方保持部２３０が骨盤の側部に当接している状態を示す側面図であり、（ｃ）は、左側下方保持部２３０が骨盤の後部に当接している状態を示す側面図であり、（ｄ）は、右側下方保持部１３０及び左側下方保持部２３０が、骨盤の後部に当接している状態を示す背面図である。
【００４３】
図５から理解できるように、第１フレーム１１１の一端１１６，第２フレーム１１２の一端１１７，第１フレーム２１１の一端２１６，第２フレーム２１２の一端２１７は、肩甲骨に対応するように形成されて、長さ等が調整されてもよい。どの位置が最も身体への負担が軽いかについては、個人個人の身体的特徴によっても個々に異なるので、装着者の好み等に応じて適宜調整可能であることが好ましい。同様に、楽器ホルダー１０００は、場合によっては、図５（ｂ）に示すように、左側下方保持部２３０が骨盤の側部に当接している状態で使用され、また、場合によっては、図５（ｄ）に示すように、右側下方保持部１３０及び左側下方保持部２３０が、骨盤の後部に当接している状態で使用されてもよい。
【００４４】
図６は、本発明の実施形態による楽器ホルダー１０００が身体後方に配置されて使用されている状態を示す図であり、（ａ）は、背面図であり、（ｂ）は正面図である。
楽器ホルダー１０００は、既に説明したように、背中側に装着された場合においても、図６に示すように、演奏者の前方で楽器を保持することが可能である。演奏者の前方はその衣装等によっては楽器ホルダー１０００を装着困難である場合も想定され、また、ビジュアル的な演奏会などにおいては観客に楽器ホルダー１０００を過度に露出しないことが好ましい場合もある。このような場合でも、楽器ホルダー１０００は、背中側に装着された状態で、すなわち弾性部材が設けられている第１フレーム１１１の一端１１６，第２フレームの一端１１７，第１フレームの一端２１６，第２フレームの一端２１７が肩の前側に当接した状態で、吊り下げベルト１１５，２１５を肩よりも身体の前側に吊り下げられるように前方の胸の辺りに延ばした状態で楽器を保持することが可能である。
【００４５】
楽器ホルダー１０００は、身体圧迫による肩等の痛みや神経痛、体調不良等の発生を予防し、これらを軽減することが可能である。また、楽器ホルダー１０００は、身体にフィットし、身体への接触部位にはマッサージ効果等をも期待できる柔らかな素材が採用されることで、楽器等の重量が複数の支点で分散支持されることとの相乗効果により、身体への負担が少ないものとなる。
【００４６】
本発明は、上述した実施形態に限定されるものではなく、特許請求の範囲に記載された技術思想の範囲内において適宜変形が可能である。例えば、楽器ホルダーの各部の構成は、本実施形態による楽器ホルダー１０００の各部の構成に限定されない。
例えば、右肩肩掛け部１１０は、第１フレーム１１１と第２フレーム１１２とを有していたが、この構成に限定されない。例えば、三本以上の弧状アームを有していてもよい。
また、上述した実施形態では、右用ホルダー１００、左用ホルダー２００は、それぞれ右肩、左肩から脱落しにくい構成を有しているが、脱落を不安に考える演奏者のために、より脱落しにくい構成を有していてもよい。
例えば、右用ホルダー１００の下部フレキシブル部１２２、及び、左用ホルダー２００の下部フレキシブル部２２２の、上端部から下端部までの間のいずれかの位置に、布製のベルトを設けてもよい。一方のベルトの一端部は、下部フレキシブル部１２２に接続され、一方のベルトの他端部は、連結部材を有する。同様に、他方のベルトの一端部は、下部フレキシブル部２２２に接続され、他方のベルトの他端部は、連結部材を有する。演奏時には、一方のベルトの他端部の連結部材と他方のベルトの他端部の連結部材とが互いに連結させられた状態で、楽器ホルダー１０００は使用される。
一方のベルトの一端部、他方のベルトの一端部の、下部フレキシブル部１２２、２２２への接続は、着脱不能な固定による構成でもよいし、着脱可能な固定による構成でもよいし、コンパクトな巻き取り装置を有する構成として、ベルトの不使用時にはベルトを巻き取れる構成としてもよく、適宜必要に応じて、適切な構成が採用されればよい。
【符号の説明】
【００４７】
１００・・右用ホルダー、１１０・・右肩肩掛け部、１２０・・右用ホルダー支持体、１３０・・右側下方保持部、２００・・左用ホルダー、２１０・・左肩肩掛け部、２２０・・左用ホルダー支持体、２３０・・左側下方保持部、３１０・・バックル、３１１・・楽器係止具、３１２・・楽器係止側ベルト、１０００・・楽器ホルダー、
【図１】
0006456719.tif 000002
【図２】
0006456719.tif 000003
【図３】
0006456719.tif 000004
【図４】
0006456719.tif 000005
【図５】
0006456719.tif 000006
【図６】
0006456719.tif 000007